【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
画像供給デバイスと印刷装置とを有し、前記画像供給デバイスから供給される画像データに基づいて前記印刷装置により画像を印刷する印刷システムであって、
前記画像供給デバイスは、
印刷装置との間の通信接続に応じて、前記印刷装置が格納可能な縦横の画素数を示す情報を取得する取得手段と、
印刷すべき画像ファイルを指定する指定手段と、
印刷対象の画像ファイルの画像データを回転する回転手段と、
印刷可能範囲情報と前記指定手段で指定された画像の縦横の画素数とに応じて、前記回転手段による回転処理を行うか否かを制御する制御手段と、
を有することを特徴とする印刷システム。
【請求項２】
前記制御手段は、回転後の画像データの縦横の画素数が、前記印刷装置の格納可能な縦横の画素数を越えない場合に回転処理を行わせ、超える場合には回転処理を行わないように制御することを特徴とする請求項１に記載の印刷システム。
【請求項３】
印刷態様として、速度優先か画質優先かを指定する印刷態様指定手段と、
画像データをリサイズするリサイズ手段とを有し、
前記印刷態様指定手段により速度優先が指定されている場合には、回転後の画像データの縦横の画素数が、前記印刷装置の格納可能な縦横の画素数を越える場合に、前記リサイズ手段によるリサイズ処理と、前記回転手段による回転処理を行うことを特徴とする請求項１又は２に記載の印刷システム。
【請求項４】
前記印刷可能範囲情報は、プリンタが格納可能な縦横の画素数を示す情報であることを特徴とする請求項１乃至３のいずれか１項に記載の印刷システム。
【請求項５】
印刷装置と直接通信し、当該印刷装置に画像データを供給する画像供給デバイスであって、
印刷装置との間の通信接続に応じて、前記印刷装置の機能情報を取得する手段と、
前記印刷装置による印刷可能範囲を示す印刷可能範囲情報を取得する取得手段と、
前記機能情報に基づいてＵＩを構築して表示する手段と、
前記ＵＩに基づいて設定された印刷仕様と前記印刷可能範囲情報に応じて、印刷対象の画像ファイルの画像データを変換する変換手段と、
前記印刷装置からのデータ要求に応じて、前記変換手段により変換した画像データを前記印刷装置に送信する送信手段と、
を有することを特徴とする画像供給デバイス。
【請求項６】
印刷装置の機種別の印刷可能画素数リストを記憶する手段を更に有し、
前記取得手段は、記憶している印刷可能画素数情報リストから前記印刷装置に対応する印刷可能範囲情報を取得することを特徴とする請求項５に記載の画像供給デバイス。
【請求項７】
前記取得手段は、前記機能情報に含まれる印刷可能画素数から前記印刷装置に対応する印刷可能範囲情報を取得することを特徴とする請求項５に記載の画像供給デバイス。
【請求項８】
前記印刷仕様と、前記印刷装置で印刷に使用する記録媒体の種類とに応じて印刷範囲を示す印刷範囲情報を取得する手段を更に有し、
前記変換手段は、前記印刷範囲情報と前記画像データのサイズに応じて前記画像データを変換することを特徴とする請求項５乃至７のいずれか１項に記載の画像供給デバイス。
【請求項９】
前記印刷可能範囲情報は、印刷可能範囲を示す画素数を含むことを特徴とする請求項５乃至８のいずれか１項に記載の画像供給デバイス。
【請求項１０】
前記変換手段による変換は、画像データの変倍、回転の少なくともいずれかを含むことを特徴とする請求項５乃至９のいずれか１項に記載の画像供給デバイス。
【請求項１１】
前記画像データの回転が指示された場合、当該回転により前記画像データのサイズが前記印刷可能範囲を超える場合、前記回転後の画像データを変倍する変倍手段を更に有することを特徴とする請求項１０に記載の画像供給デバイス。
【請求項１２】
印刷装置と直接通信し、当該印刷装置に画像データを供給する画像供給デバイスであって、
印刷装置との間の通信接続に応じて、前記印刷装置が格納可能な縦横の画素数を示す情報を取得する取得手段と、
印刷すべき画像ファイルを指定する指定手段と、
印刷対象の画像ファイルの画像データを回転する回転手段と、
前記印刷可能範囲情報と前記指定手段で指定された画像の縦横の画素数とに応じて、前記回転手段による回転処理を行うか否かを制御する制御手段と、
を有することを特徴とする画像供給デバイス。
【請求項１３】
前記制御手段は、回転後の画像データの縦横の画素数が、前記印刷装置の格納可能な縦横の画素数を越えない場合に回転処理を行わせ、超える場合には回転処理を行わないように制御することを特徴とする請求項１２に記載の画像供給デバイス。
【請求項１４】
印刷態様として、速度優先か画質優先かを指定する印刷態様指定手段と、
画像データをリサイズするリサイズ手段とを有し、
前記印刷態様指定手段により速度優先が指定されている場合には、回転後の画像データの縦横の画素数が、前記印刷装置の格納可能な縦横の画素数を越える場合に、前記リサイズ手段によるリサイズ処理と、前記回転手段による回転処理を行うことを特徴とする請求項１２又は１３に記載の画像供給デバイス。
【請求項１５】
前記印刷可能範囲情報は、プリンタが格納可能な縦横の画素数を示す情報であることを特徴とする請求項５乃至１４のいずれか１項に記載の画像供給デバイス。
【請求項１６】
印刷装置と直接通信し、当該印刷装置に画像データを供給する画像供給デバイスの制御方法であって、
印刷装置との間の通信接続に応じて、前記印刷装置の機能情報を取得する工程と、
前記印刷装置による印刷可能範囲を示す印刷可能範囲情報を取得する取得工程と、
前記機能情報に基づいてＵＩを構築して表示する工程と、
前記ＵＩに基づいて設定された印刷仕様と前記印刷可能範囲情報に応じて、印刷対象の画像ファイルの画像データを変換する変換工程と、
前記印刷装置からのデータ要求に応じて、前記変換工程で変換した画像データを前記印刷装置に送信する送信工程と、
を有することを特徴とする画像供給デバイスの制御方法。
【請求項１７】
印刷装置の機種別の印刷可能画素数リストを記憶する工程を更に有し、
前記取得工程では、記憶している印刷可能画素数情報リストから前記印刷装置に対応する印刷可能範囲情報を取得することを特徴とする請求項１６に記載の制御方法。
【請求項１８】
前記取得工程では、前記機能情報に含まれる印刷可能画素数から前記印刷装置に対応する印刷可能範囲情報を取得することを特徴とする請求項１６に記載の制御方法。
【請求項１９】
前記印刷仕様と、前記印刷装置で印刷に使用する記録媒体の種類とに応じて印刷範囲を示す印刷範囲情報を取得する工程を更に有し、
前記変換工程では、前記印刷範囲情報と前記画像データのサイズに応じて前記画像データを変換することを特徴とする請求項１６乃至１８のいずれか１項に記載の制御方法。
【請求項２０】
前記印刷可能範囲情報は、印刷可能範囲を示す画素数を含むことを特徴とする請求項１６乃至１９のいずれか１項に記載の制御方法。
【請求項２１】
前記変換工程による変換は、画像データの変倍、回転の少なくともいずれかを含むことを特徴とする請求項１６乃至２０のいずれか１項に記載の制御方法。
【請求項２２】
前記画像データの回転が指示された場合であって且つ、当該回転により前記画像データのサイズが前記印刷可能範囲を超える場合、前記回転後の画像データを変倍する変倍工程を更に有することを特徴とする請求項２１に記載の制御方法。
【請求項２３】
印刷装置と直接通信し、当該印刷装置に画像データを供給する画像供給デバイスの制御方法であって、
印刷装置との間の通信接続に応じて、前記印刷装置が格納可能な縦横の画素数を示す情報を取得する取得工程と、
印刷すべき画像ファイルを指定する指定工程と、
印刷対象の画像ファイルの画像データを回転する回転工程と、
前記印刷可能範囲情報と前記指定工程で指定された画像の縦横の画素数とに応じて、前記回転工程で回転処理を行うか否かを制御する制御工程と、
を有することを特徴とする画像供給デバイスの制御方法。
【請求項２４】
前記制御工程は、回転後の画像データの縦横の画素数が、前記印刷装置の格納可能な縦横の画素数を越えない場合に回転処理を行わせ、超える場合には回転処理を行わないように制御することを特徴とする請求項２３に記載の制御方法。
【請求項２５】
印刷態様として、速度優先か画質優先かを指定する印刷態様指定工程と、
画像データをリサイズするリサイズ工程とを有し、
前記印刷態様指定工程で速度優先が指定されている場合には、回転後の画像データの縦横の画素数が、前記印刷装置の格納可能な縦横の画素数を越える場合に、前記リサイズ工程によるリサイズ処理と、前記回転工程による回転処理を行うことを特徴とする請求項２３又は２４に記載の制御方法。
【請求項２６】
前記印刷可能範囲情報は、プリンタが格納可能な縦横の画素数を示す情報であることを特徴とする請求項１６乃至２５のいずれか１項に記載の制御方法。
【請求項２７】
請求項１６乃至２６のいずれか１項に記載の制御方法をコンピュータに実行させることを特徴とするプログラム。
【請求項２８】
請求項２７に記載のプログラムを格納することを特徴とするコンピュータにより読み取り可能な記憶媒体。
【手続補正２】
【補正対象書類名】明細書
【補正対象項目名】００１４
【補正方法】変更
【補正の内容】
【００１４】
本発明の一態様に係る印刷システムは以下のような構成を備える。即ち、
画像供給デバイスと印刷装置とを有し、前記画像供給デバイスから供給される画像データに基づいて前記印刷装置により画像を印刷する印刷システムであって、
前記画像供給デバイスは、
印刷装置との間の通信接続に応じて、前記印刷装置が格納可能な縦横の画素数を示す情報を取得する取得手段と、印刷すべき画像ファイルを指定する指定手段と、印刷対象の画像ファイルの画像データを回転する回転手段と、前記印刷可能範囲情報と前記指定手段で指定された画像の縦横の画素数とに応じて、前記回転手段による回転処理を行うか否かを制御する制御手段とを有することを特徴とする。